(57)【要約】【課題】所望のコンテンツのコンテンツ情報を選択するまでの時間を短くすることが可能な、コンテンツ再生装置およびコンテンツ情報のスクロール表示方法を提供する。【解決手段】表示画面２０１の第１の領域２０３では、コンテンツ情報を１個スクロールする毎に更新して表示し、表示画面２０１の第２の領域２０４では、第１の領域２０３のコンテンツ情報を複数個スクロールする毎に更新して表示することで、コンテンツ情報のスクロールを途中で停止させなくても、また、コンテンツの数が多大であっても、所望のコンテンツのコンテンツ情報が表示されているかどうかを逐次確認しながら、スクロール速度を高速に保ったままでスクロールすることができようにした。【選択図】図２
2007140004.tif 000002
【特許請求の範囲】
【請求項１】
コンテンツを選択するためのコンテンツ情報が表示画面に表示される表示部と、前記コンテンツ情報のスクロールを指示するための操作部と、制御部とを備える、コンテンツ再生装置であって、
前記表示部の表示画面は、少なくとも、第１の領域と、第２の領域とからなり、前記コンテンツ情報をリスト形式で表示し、
前記制御部は、前記操作部からの指示に応じて前記コンテンツ情報をスクロールして前記表示画面に順次表示する際に、前記第１の領域では、前記コンテンツ情報を１個スクロールする毎に更新して表示し、前記第２の領域では、前記第１の領域の前記コンテンツ情報を複数個スクロールする毎に更新して表示するように制御する、コンテンツ再生装置。
【請求項２】
前記制御部は、前記第１の領域と、前記第２の領域とを、前記コンテンツ情報のスクロール方向に対して並べて配置するように制御する、請求項１に記載のコンテンツ再生装置。
【請求項３】
前記制御部は、前記コンテンツ情報のスクロール方向に対して、前記第２の領域を、前記第１の領域よりも後方に配置するように制御する、請求項２に記載のコンテンツ再生装置。
【請求項４】
前記制御部は、前記コンテンツ情報のスクロール方向が順スクロールであるか逆スクロールであるかに係わらず、前記第２の領域を、前記コンテンツ情報の順スクロール方向に対して、前記第１の領域よりも後方もしくは先方のいずれか一方に固定して配置するように制御する、請求項２に記載のコンテンツ再生装置。
【請求項５】
前記制御部は、前記第２の領域に表示する前記コンテンツ情報を更新する際に、更新前の表示画面で、前記コンテンツ情報のスクロール方向に対して、前記第１の領域の最も後方の位置に表示されていた前記コンテンツ情報を、更新後の表示画面では、前記第２の領域に表示するように制御する、請求項３に記載のコンテンツ再生装置。
【請求項６】
前記制御部は、前記第２の領域に表示する前記コンテンツ情報を更新する際に、前記コンテンツ情報のスクロール方向が順スクロールであるときは、更新前の表示画面で、前記コンテンツ情報のスクロール方向に対して、前記第１の領域の最も後方の位置に表示されていた前記コンテンツ情報を、更新後の表示画面では、前記第２の領域に表示し、また、前記コンテンツ情報のスクロール方向が逆スクロールであるときは、更新前の表示画面で、前記第２の領域に表示されていた前記コンテンツ情報を、更新後の表示画面では、前記コンテンツ情報のスクロール方向に対して、前記第１の領域の最も先方の位置に表示するように制御する、請求項４に記載のコンテンツ再生装置。
【請求項７】
前記制御部は、前記コンテンツ情報のスクロール開始前の表示画面では、前記第１の領域と前記第２の領域とを合わせた領域に、前記コンテンツ情報をリスト形式で表示し、前記コンテンツ情報のスクロール開始後の表示画面では、前記第１の領域では、スクロール開始前の表示画面で表示されていた前記コンテンツ情報を１個スクロールして更新して表示し、前記第２の領域では、前記第１の領域でのスクロール開始前の表示画面で表示されていた前記コンテンツ情報を更新しないように制御する、請求項３に記載のコンテンツ再生装置。
【請求項８】
前記制御部は、前記第１の領域と、前記第２の領域とを、識別可能に表示するように制御する、請求項１に記載のコンテンツ再生装置。
【請求項９】
前記制御部は、前記コンテンツ情報のスクロール開始前は、前記第１の領域と、前記第２の領域とを、識別可能に表示しないで、前記コンテンツ情報のスクロール開始後は、前記第１の領域と、前記第２の領域とを、識別可能に表示するように制御する、請求項７に記載のコンテンツ再生装置。
【請求項１０】
前記制御部は、前記第２の領域を、前記第１の領域よりも小さい領域として配置するように制御する、請求項１に記載のコンテンツ再生装置。
【請求項１１】
前記制御部は、前記第２の領域に、前記コンテンツ情報を１個表示するように制御する、請求項１０に記載のコンテンツ再生装置。
【請求項１２】
前記制御部は、前記コンテンツ情報のスクロール速度を検出し、前記スクロール速度に応じて、前記第２の領域に表示する前記コンテンツ情報を更新する間隔である、前記コンテンツ情報のスクロール個数を変えるように制御する、請求項１に記載のコンテンツ再生装置。
【請求項１３】
前記制御部は、前記スクロール速度が大きくなるほど、前記コンテンツ情報のスクロール個数を段階的に大きくする、請求項１２に記載のコンテンツ再生装置。
【請求項１４】
コンテンツを選択するためのコンテンツ情報が表示画面に表示される表示部と、前記コンテンツ情報のスクロールを指示するための操作部と、制御部とを備える、コンテンツ再生装置であって、
前記表示部の表示画面は、少なくとも、第１の領域と、第２の領域とからなり、前記コンテンツ情報をリスト形式で表示し、
前記制御部は、前記操作部からの指示に応じて前記コンテンツ情報をスクロールして前記表示画面に順次表示する際に、前記第１の領域では、前記コンテンツ情報を１個スクロールする毎に更新して表示し、前記第２の領域では、所定の時間間隔毎に、その時間間隔内に前記第１の領域でスクロールした個数だけ、前記コンテンツ情報を更新して表示するように制御する、コンテンツ再生装置。
【請求項１５】
コンテンツを選択するためのコンテンツ情報が表示画面に表示される表示部と、前記コンテンツ情報のスクロールを指示するための操作部と、制御部とを備える、コンテンツ再生装置であって、
前記表示部の表示画面は、少なくとも、第１の領域と、第２の領域とからなり、前記コンテンツ情報をリスト形式で表示し、
前記コンテンツ情報は複数のグループ毎に分かれており、
前記制御部は、前記操作部からの指示に応じて前記コンテンツ情報をスクロールして前記表示画面に順次表示する際に、前記第１の領域では、前記コンテンツ情報を１個スクロールするごとに更新して表示し、前記第２の領域では、スクロールによって前記第１の領域の前記コンテンツ情報のグループが変化したとき、前記コンテンツ情報を更新して表示するように制御する、コンテンツ再生装置。
【請求項１６】
前記コンテンツ情報は、先頭から所定の個数までの文字が同じであるグループ毎に分かれている、請求項１５に記載のコンテンツ再生装置。
【請求項１７】
前記コンテンツ情報は、読み方において先頭から所定の個数までの文字が同じであるグループ毎に分かれている、請求項１５に記載のコンテンツ再生装置。
【請求項１８】
前記コンテンツ情報は、階層的な構造で管理されており、前記コンテンツ情報は、上位階層のコンテンツ情報が同じであるグループ毎に分かれている、請求項１５に記載のコンテンツ再生装置。
【請求項１９】
前記制御部は、前記コンテンツ情報の個数に応じて、前記第２の領域に表示する前記コンテンツ情報を更新する間隔である、前記コンテンツ情報のスクロール個数を変えるように制御する、請求項１に記載のコンテンツ再生装置。
【請求項２０】
コンテンツを選択するためのコンテンツ情報が表示画面に表示される表示部と、前記コンテンツ情報のスクロールを指示するための操作部と、制御部とを備える、コンテンツ再生装置であって、
前記表示部の表示画面は、少なくとも、第１の領域と、第２の領域とからなり、前記コンテンツ情報をリスト形式で表示し、
前記制御部は、前記操作部からの指示に応じて前記コンテンツ情報をスクロールして前記表示画面に順次表示する際に、前記コンテンツ情報のスクロール速度を検出し、前記スクロール速度が所定の値より小さいときは、前記第１の領域と前記第２の領域のどちらの領域でも、前記コンテンツ情報を１個スクロールする毎に更新して表示し、前記スクロール速度が所定の値より大きいときは、前記第１の領域では、前記コンテンツ情報を１個スクロールする毎に更新して表示し、前記第２の領域では、前記第１の領域の前記コンテンツ情報を複数個スクロールする毎に更新して表示するように制御する、コンテンツ再生装置。
【請求項２１】
コンテンツを選択するためのコンテンツ情報が表示画面に表示される表示部と、前記コンテンツ情報のスクロールを指示するための操作部と、制御部とを備える、コンテンツ再生装置であって、
前記表示部の表示画面は、少なくとも、第１の領域と、第２の領域とからなり、前記コンテンツ情報をリスト形式で表示し、
前記制御部は、前記操作部からの指示に応じて前記コンテンツ情報をスクロールして前記表示画面に順次表示する際に、前記第１の領域では、前記操作部によって前記コンテンツ情報をｎ個（ｎ≧１）スクロールする毎に更新して表示し、前記第２の領域では、前記操作部によって前記コンテンツ情報をｍ個（ｍ＞ｎ）スクロールする毎に更新して表示するように制御する、コンテンツ再生装置。
【請求項２２】
コンテンツを選択するためのコンテンツ情報を表示部の表示画面にリスト形式で表示する表示ステップと、
前記コンテンツ情報のスクロールを指示する操作ステップと、
前記操作ステップにおける操作に基づいて、前記表示ステップにおける表示を制御する制御ステップとを備える、コンテンツ情報のスクロール表示方法であって、
前記表示ステップにおいては、前記コンテンツ情報を、前記表示画面の第１の領域と第２の領域に表示し、
前記制御ステップにおいては、前記操作ステップでの指示に応じて前記コンテンツ情報をスクロールして前記表示ステップにおいて前記表示画面に順次表示する際に、前記第１の領域では、前記コンテンツ情報を１個スクロールする毎に更新して表示し、前第２の領域では、前記第１の領域の前記コンテンツ情報を複数個スクロールする毎に更新して表示するように制御する、コンテンツ情報のスクロール表示方法。
【請求項２３】
コンテンツを選択するためのコンテンツ情報を表示部の表示画面にリスト形式で表示する表示ステップと、
前記コンテンツ情報のスクロールを指示する操作ステップと、
前記操作ステップにおける操作に基づく前記表示ステップにおける表示を制御する制御ステップとを備える、コンテンツ情報のスクロール表示方法であって、
前記表示ステップにおいては、前記コンテンツ情報を、前記表示画面内の第１の領域と第２の領域に表示し、
前記制御ステップにおいては、前記操作ステップでの指示に応じて前記コンテンツ情報をスクロールして前記表示ステップにおいて前記表示画面に順次表示する際に、前記第１の領域では、前記操作ステップによって前記コンテンツ情報をｎ個（ｎ≧１）スクロールする毎に更新して表示し、前記第２の領域では、前記操作ステップによって前記コンテンツ情報をｍ個（ｍ＞ｎ）スクロールする毎に更新して表示するように制御する、コンテンツ情報のスクロール表示方法。
【発明の詳細な説明】
【技術分野】
【０００１】
本発明は、ビデオやオーディオ等のコンテンツを再生するコンテンツ再生装置、および、ビデオやオーディオ等のコンテンツを選択するためのコンテンツ情報のスクロール表示方法に関するものであり、特に、携帯型のデジタルオーディオプレーヤ等の、コンテンツ再生装置およびコンテンツ情報のスクロール表示方法に関するものである。
【背景技術】
【０００２】
近年、ＭＰ３やＡＡＣに代表されるオーディオ圧縮技術の発展により、楽曲を少ないデータ量でも高音質なデジタルデータとして扱えるようになってきた。また、ハードディスクやフラッシュメモリ等の記録媒体の大容量化により、小型のランダムアクセス可能な記録媒体でも大容量をもつことが可能になり、楽曲をデジタルデータとして記録するための記録媒体として、これらの記録媒体が使われるようになってきた。このような中で、記録媒体として小型ハードディスクやフラッシュメモリを搭載する携帯型のデジタルオーディオプレーヤが、多数の楽曲を入れ換えすることなく持ち運ぶことができるという使い勝手の良さから、急速に普及してきている。
【０００３】
これらの携帯型のデジタルオーディオプレーヤでは、数Ｇバイトの記録容量をもつ記録媒体に数千曲の楽曲を記録することができる。楽曲には、ジャンル名、アーティスト名、アルバム名、タイトル名等の、階層的な楽曲情報が付加されており、ユーザはこれらの楽曲情報を手掛りにして楽曲を選択することができる。
【０００４】
例えば、タイトル名から楽曲を選択する際、デジタルオーディオプレーヤのディスプレイには、ソートされた順番のリスト形式でタイトル名が表示される。ディスプレイには、同時には、数個のタイトル名が１個のタイトル名につき１行で表示される。ユーザは、所望の楽曲のタイトル名がディスプレイに表示されるようになるまでタイトル名をスクロールさせ、所望の楽曲のタイトル名がディスプレイに表示された後は、表示されている複数のタイトル名の中からそのタイトル名をポインタ等で選択する。このように、例えば、所望の楽曲のタイトル名がソートされた順番で５００番目である場合、所望の楽曲のタイトル名が表示されているかどうかを逐次確認しながら、約５００行分ものスクロールをする必要がある。
【０００５】
このとき、ユーザにとっては、短い時間で所望の楽曲のタイトル名が選択できることが望ましい。通常は、ユーザの操作に応じてスクロール速度を変えることができる。従って、所望の楽曲のタイトル名が表示されるまでは、できるだけ高速にスクロールさせようとするのだが、スクロール速度が高速になればなるほど、表示されたタイトル名を読取ることが困難になってしまう。このため、所望の楽曲のタイトル名が表示されているかどうかを逐次確認するために、スクロール速度をある程度以上には高速にすることができない。
【０００６】
従来、この種のコンテンツ再生装置およびコンテンツ情報のスクロール表示方法としては、例えば、特許文献１に記載されているようなものがあった。
【０００７】
特許文献１においては、楽曲のアーティスト名やアルバム名やタイトル名等の楽曲情報をソートして頭文字毎の複数のグループに分け、これら楽曲情報をリスト形式で表示してスクロールする際、グループが変化するとき、つまり、例えば、タイトル名の表示においてタイトル名の頭文字が「あ」から「い」へと変化するときに、表示画面の更新を所定の時間だけ停止する。
【０００８】
このように、表示されたタイトル名が読取れないほどにスクロールを高速にしたとしても、頭文字が変化するときには表示画面が停止してタイトル名を確実に読取ることができるので、ユーザは、所望の楽曲のタイトル名の頭文字と比較することで、所望の楽曲のタイトル名に対してスクロールがどの程度進んでいるかをその都度確認することができる。従って、所望の楽曲のタイトル名を選択するまでの時間を短くすることができる。
【特許文献１】特開２００５−４８９１号公報
【発明の開示】
【発明が解決しようとする課題】
【０００９】
しかしながら、前記従来の構成では、所望の楽曲のタイトル名を選択するまでの時間を、必ずしも十分には短くすることができているとはいえなかった。
【００１０】
前記従来の構成では、タイトル名の頭文字が変化する毎にスクロールが所定の時間だけ停止する。例えば、所望の楽曲のタイトル名が「わ」で始まるような、頭文字の順番の末尾に近いタイトル名であった場合、かな文字では「あ」から始まって、「い」、「う」、…、「れ」、「ろ」、「わ」と、頭文字が「わ」であるグループのタイトル名に達するまでに、何十回も停止するので、一回の停止時間が短い時間だったとしても、停止時間のトータル時間は無視できないほど長くなってしまう。また、例えば、所望の楽曲のタイトル名が「い」で始まるような、頭文字の順番の先頭に近いタイトル名であった場合でさえも、スクロールの停止時間が存在すること自体には変わりないので、この停止時間の分だけ、所望の楽曲のタイトル名を選択するまでの時間が長くなってしまう。
【００１１】
さらに、前記従来の構成では、スクロールが停止するのはタイトル名の頭文字が変化するときだけである。例えば、記録媒体に記録されている楽曲の数が数千曲の場合、アルファベット文字が２６文字、かな文字が４６文字とすると、１つの頭文字あたりに平均数十曲が存在することになる。実際のタイトル名の頭文字の分布は偏っているので、頭文字によってはさらに多くの楽曲が存在する。従って、頭文字が一致するグループに達するまでは高速にスクロールできたとしても、同じ頭文字のグループの中では、数十曲程度のタイトル名を、タイトル名を読取ることが可能なくらいの低速でスクロールすることになり、所望の楽曲のタイトル名を選択するまでの時間が長くなってしまう。
【００１２】
本発明は、上記課題を解決するために、表示部の表示画面上の第１の領域では、楽曲のタイトル名等であるコンテンツ情報を１個スクロールする毎に更新して表示し、表示部の表示画面上の第２の領域では、コンテンツ情報を複数個スクロールする毎に更新して表示する。その結果、コンテンツ情報のスクロールを途中で停止させなくても、また、楽曲等のコンテンツの数が多大であっても、所望のコンテンツのコンテンツ情報を選択するまでの時間を短くすることが可能な、コンテンツ再生装置およびコンテンツ情報のスクロール表示方法を提供することができる。
【課題を解決するための手段】
【００１３】
前記従来の課題を解決するため、本発明のコンテンツ再生装置は、コンテンツを選択するためのコンテンツ情報が表示画面に表示される表示部と、前記コンテンツ情報のスクロールを指示するための操作部と、制御部とを備える、コンテンツ再生装置であって、前記表示部の表示画面は、少なくとも、第１の領域と、第２の領域とからなり、前記コンテンツ情報をリスト形式で表示し、前記制御部は、前記操作部からの指示に応じて前記コンテンツ情報をスクロールして前記表示画面に順次表示する際に、前記第１の領域では、前記コンテンツ情報を１個スクロールする毎に更新して表示し、前記第２の領域では、前記第１の領域の前記コンテンツ情報を複数個スクロールする毎に更新して表示するように制御する。
【００１４】
また、本発明のコンテンツ情報のスクロール表示方法は、コンテンツを選択するためのコンテンツ情報を表示部の表示画面にリスト形式で表示する表示ステップと、前記コンテンツ情報のスクロールを指示する操作ステップと、前記操作ステップにおける操作に基づいて、前記表示ステップにおける表示を制御する制御ステップとを備える、コンテンツ情報のスクロール表示方法であって、前記表示ステップにおいては、前記コンテンツ情報を、前記表示画面の第１の領域と第２の領域に表示し、前記制御ステップにおいては、前記操作ステップでの指示に応じて前記コンテンツ情報をスクロールして前記表示ステップにおいて前記表示画面に順次表示する際に、前記第１の領域では、前記コンテンツ情報を１個スクロールする毎に更新して表示し、前第２の領域では、前記第１の領域の前記コンテンツ情報を複数個スクロールする毎に更新して表示するように制御する。
【発明の効果】
【００１５】
以上のように、本発明のコンテンツ再生装置およびコンテンツ情報のスクロール表示方法によれば、コンテンツ情報のスクロールを度々停止させなくても、第２の領域に表示されたコンテンツ情報を読取ることが可能なので、所望のコンテンツのコンテンツ情報が表示されているかどうかを逐次確認しながら、スクロール速度を高速に保ったままでスクロールすることができる。また、第２の領域に表示されたコンテンツ情報は頭文字以降の文字も読取ることが可能なので、どこまでスクロールされたかをより詳細に判断でき、所望のコンテンツのコンテンツ情報に接近する直前まで、スクロール速度を高速に保ったままでスクロールすることができる。従って、コンテンツ情報のスクロールを途中で停止させなくても、また、コンテンツの数が多大であっても、所望のコンテンツのコンテンツ情報を選択するまでの時間を短くすることができる。
【発明を実施するための最良の形態】
【００１６】
以下に、本発明の実施の形態について、図面を参照しながら説明する。
【００１７】
（実施の形態１）
図１は、本発明の実施の形態１におけるコンテンツ再生装置１００のブロック図である。コンテンツ再生装置１００は、プロセッサ１０１と、記録媒体１０２と、操作部１０３と、表示部１０４と、スピーカー１０５と、外部Ｉ／Ｆ１０６とを備えている。ここでは、コンテンツ再生装置１００として、楽曲を再生する携帯型のデジタルオーディオプレーヤの例で説明するが、本発明のコンテンツ再生装置およびコンテンツ情報のスクロール表示方法は、携帯型のデジタルオーディオプレーヤに限定されるものではない。
【００１８】
プロセッサ１０１は、コンテンツ再生装置１００全体の動作の制御を行う制御部として動作する。記録媒体１０２は、大容量をもつ小型ハードディスクやフラッシュメモリ等からなり、複数の楽曲がファイルとして記録されている。楽曲には、ジャンル名、アーティスト名、アルバム名、タイトル名等の、階層的な楽曲情報が付加されており、ユーザはこれらの楽曲情報を手掛りにして楽曲を選択することができる。楽曲情報は楽曲と同じファイルに記録されていてもよいし、別のファイルに記録されていてもよい。操作部１０３は、ボタンやスイッチやダイヤルやタッチパネル等からなり、楽曲の選択等の、コンテンツ再生装置１００に対するユーザの操作を入力する。表示部１０４は、液晶ディスプレイや有機ＥＬディスプレイ等からなり、楽曲情報等の情報をユーザに対して表示する。スピーカー１０５は、コンテンツ再生装置１００に内蔵されたスピーカーや外部のヘッドフォン等からなり、プロサッサ１０１が記録媒体１０２から読み出して再生した楽曲の音をユーザに対して出力する。外部Ｉ／Ｆ１０６は、コンテンツ再生装置１００を外部のＰＣやミニコン等と接続し、プロセッサ１０１が外部のＰＣやミニコン等から転送された楽曲等を、記録媒体１０２に記録するためのインターフェース（Ｉ／Ｆ）を提供する。
【００１９】
図２は、本発明の実施の形態１におけるコンテンツ再生装置１００の前面パネル２００を示す平面図である。前面パネル２００は、表示部１０４の表示画面２０１と、操作部１０３の操作ボタン２０５とを備えている。ヘッドフォン２１１は、前面パネル２００の上側に隣接する側面に、着脱可能に接続されている。
【００２０】
表示画面２０１は、ステータス領域２０２と、第１の領域２０３と、第２の領域２０４とを備えている。ステータス領域２０２は、プロセッサ１０１がコンテンツ再生装置１００の動作のステータスを表示する領域である。図２の例では、ステータス領域２０２には、楽曲情報のうちのタイトル名の一覧を表示中であることと、コンテンツ再生装置１００の内蔵バッテリの残り容量とが示されている。第１の領域２０３と第２の領域２０４には、プロセッサ１０１が、タイトル名の一覧のうち３個のタイトル名をソートされた順番のリスト形式で３行にわたって表示している。図２の例のように１個のタイトル名につき１行で表示してもよいし、１個のタイトル名につき複数行で表示してもよい。１個のタイトル名につき１行で表示する場合には、同時に多くのタイトル名を表示できるし、１個のタイトル名につき複数行で表示する場合には、タイトル名の文字数が多い場合でも全ての文字を表示できる。
【００２１】
操作ボタン２０５は、中央ボタン２０６と、上ボタン２０７と、下ボタン２０８と、左ボタン２０９と、右ボタン２１０とを備えている。それぞれのボタン２０６〜２１０には、コンテンツ再生装置１００の動作のステータスに応じた複数の機能が割り振られている。例えば、ユーザが楽曲を選択する際には、プロセッサ１０１は、表示画面２０１の第１の領域２０３と第２の領域２０４に表示したタイトル名を、下ボタン２０８が押されたことを検出して、順方向（図２では下方向）にスクロールして更新し、また、上ボタン２０７が押されたことを検出して、逆方向（図２では上方向）にスクロールして更新する。ユーザが楽曲を再生する際には、プロセッサ１０１は、中央ボタン２１０が押されたことを検出して、選択されている楽曲のファイルを記録媒体１０２から読出し、圧縮データを伸張してデジタル信号として再生し、アナログ信号へ変換してスピーカー１０５（ヘッドフォン２１１）から出力する。再生中に、上ボタン２０７が押されたことを検出すると、プロセッサ１０１は、スピーカー１０５から出力する音量を大きくする。再生中に、下ボタン２０８が押されたことを検出すると、プロセッサ１０１は、スピーカー１０５から出力する音量を小さくする。また、再生中に、左ボタン２０９が押されたことを検出すると、プロセッサ１０１は、楽曲を再生する時間軸上の位置を前方向の楽曲の先頭へと移動させる。再生中に、右ボタン２１０が押されたことを検出すると、プロセッサ１０１は、楽曲を再生する時間軸上の位置を後方向の楽曲の先頭へと移動させる。
【００２２】
図３は、本発明の実施の形態１におけるコンテンツ情報のスクロール表示方法を示すフローチャートである。プロセッサ１０１が、表示画面２０１の第１の領域２０３と第２の領域２０４にタイトル名をリスト形式で表示して、順方向にスクロールして順次表示する部分を示している。開始点３０１から開始し、ステップ３０２〜３１１を経て、ユーザによってタイトル名の選択操作がされた場合に終了点３１２に達し、一連の処理を終了する。
【００２３】
まず、ステップ３０２において、タイトル名がスクロールされた回数をカウントするための変数ｎが０に初期化される。また、第２の領域２０４に表示するタイトル名を更新する間隔である、タイトル名のスクロール個数Ｉ２の値が設定される。次に、ステップ３０３において、表示画面２０１の第１の領域２０３と第２の領域２０４に、タイトル名がリスト形式で表示される。タイトル名はソートされた順番になっている。
【００２４】
次に、ステップ３０４において、表示画面２０１に表示されたタイトル名のうちの１つが選択されたかどうか、ユーザによって中央ボタン２１０が押されたかどうかで判断する。中央ボタン２１０が押されたことを検出した場合、終了点３１２へと移行して、タイトル名のスクロール表示を終了する。その後に、選択されたタイトル名に対応する楽曲の再生等が行われることとなる。中央ボタン２１０が押されたことを検出しない場合は、ステップ３０５へと移行する。
【００２５】
ステップ３０５においては、表示画面２０１に表示されたタイトル名のスクロールが指示されたかどうか、ユーザによって下ボタン２０８が押されたかどうかで判断する。下ボタン２０８が押されたことを検出した場合、ステップ３０６へと移行する。下ボタン２０８が押されたことを検出しない場合は、ステップ３０４へと戻る。
【００２６】
ステップ３０６においては、表示画面２０１の第１の領域２０３に表示されたタイトル名を更新して表示する。図２の例では、第１の領域２０３には２個のタイトル名が表示されているので、スクロール方向に対して先方の位置である下側の位置に表示されていたタイトル名を、スクロール方向に対して後方の位置である上側の位置に１個分だけ移動させて表示し、それまでは表示されていなかった、このタイトル名の１個先のタイトル名を、新たに下側の位置に表示する。次に、ステップ３０７において、スクロール回数ｎをインクリメントする。
【００２７】
次に、ステップ３０８において、第２の領域２０４に表示されたタイトル名を更新するかどうかを、スクロール回数ｎと、第２の領域２０４に表示するタイトル名を更新する間隔Ｉ２とを比較することで判断する。スクロール回数ｎが、第２の領域２０４に表示するタイトル名を更新する間隔Ｉ２に達している場合、ステップ３０９へと移行する。スクロール回数ｎが、第２の領域２０４に表示するタイトル名を更新する間隔Ｉ２に達していない場合、ステップ３０４へと戻る。
【００２８】
ステップ３０９においては、表示画面２０１の第２の領域２０４に表示されたタイトル名を更新して表示する。図２の例では、第２の領域２０４には１個のタイトル名が表示されているので、それまでは表示されていなかった、この位置に表示されていたタイトル名のＩ２個先のタイトル名を、この位置に表示する。次に、ステップ３１０において、スクロール回数ｎを０に初期化する。
【００２９】
第２の領域２０４に表示するタイトル名を更新する間隔である、タイトル名のスクロール個数Ｉ２の値を可変にする場合には、次に、ステップ３１１において、第２の領域２０４に表示するタイトル名を更新する間隔Ｉ２を設定し直す。第２の領域２０４に表示するタイトル名を更新する間隔Ｉ２の値を可変にしない場合には、ステップ３１１は不要である。どちらの場合でも、次は、ステップ３０４へと戻る。
【００３０】
ステップ３１１が実行されない場合、第２の領域２０４に表示するタイトル名を更新する間隔Ｉ２の値は固定となる。この場合、ステップ３０２において、第２の領域２０４に表示するタイトル名を更新する間隔Ｉ２には所定の値を設定してもよいし、タイトル名の数（楽曲の数）に応じた値を設定してもよい。
【００３１】
タイトル名の数に応じた値にする例としては、タイトル名を先頭から末尾までスクロールする際に第２の領域２０４に表示するタイトル名を更新させる総回数を、所定の値に設定することで、タイトル名の数が多いほど第２の領域２０４に表示するタイトル名を更新する間隔Ｉ２を大きくすることが考えられる。こうすることによって、楽曲の数が多くなっても、所望の楽曲のタイトル名が表示されているかどうかを逐次確認しながら、スクロール速度をより高速にすることでできる。
【００３２】
ステップ３１１が実行される場合、第２の領域２０４に表示するタイトル名を更新する間隔Ｉ２の値は可変となる。この場合、ステップ３１１において、第２の領域２０４に表示するタイトル名を更新する間隔Ｉ２を設定し直す。
【００３３】
第２の領域２０４に表示するタイトル名を更新する間隔Ｉ２の値を可変にする例としては、スクロール速度を検出して、第２の領域２０４に表示するタイトル名を更新する間隔Ｉ２をスクロール速度に応じた値に設定してもよい。例えば、スクロール速度が大きくなるほど、第２の領域２０４に表示するタイトル名を更新する間隔Ｉ２を段階的に大きくすることが考えられる。こうすることによって、スクロール速度を高速にしても、所望の楽曲のタイトル名が表示されているかどうかを逐次確認することができる程度に、タイトル名の更新時間の間隔を極端に小さくすることなく維持することができる。
【００３４】
また、図３に示したフローチャートからは外れるが、第２の領域２０４に表示するタイトル名を更新する間隔Ｉ２の値を可変にするその他の例としては、タイトル名の更新時間の間隔を所定の時間にするようにすることも可能である。この場合、所定の時間の間隔毎に、その時間の間隔でスクロールした数に、第２の領域２０４に表示するタイトル名を更新する間隔Ｉ２を設定すればよい。こうすることによって、スクロール速度を高速にしても、所望の楽曲のタイトル名が表示されているかどうかを逐次確認することができる程度に、タイトル名の更新時間の間隔を極端に小さくすることなく維持することができる。
【００３５】
また、第２の領域２０４に表示するタイトル名を更新する間隔Ｉ２の値を可変にするその他の例としては、タイトル名が複数のグループに分かれている場合に、タイトル名が属するグループが変化するときに、タイトル名を更新することも可能である。こうすることによって、タイトル名のグループの変化を認識することで、タイトル名がどこまでスクロールされたかをより認識しやすくなる。
【００３６】
タイトル名のグループの例としては、例えば、先頭から所定の個数までの文字が同じであるグループに分けることが考えられる。つまり、先頭から１文字までの文字が同じグループに分ける場合は、例えば、タイトル名の頭文字が「Ａ」から「Ｂ」へと変化するときに、タイトル名が更新される。先頭から２文字までの文字が同じグループに分ける場合は、例えば、タイトル名が「ＡＡ…」から「ＡＢ…」へと変化するときに、タイトル名が更新される。
【００３７】
また、例えば、読み方では先頭から所定の個数までの文字が同じであるグループに分けることも考えられる。日本語のような言語では、読み方でグループに分けたほうが認識しやすい。つまり、先頭から１文字までの文字が同じグループに分ける場合は、例えば、読み方ではタイトル名の頭文字が「あ」から「い」へと変化するときに、タイトル名が更新される。先頭から２文字までの文字が同じグループに分ける場合は、例えば、読み方ではタイトル名が「ああ…」から「あい…」へと変化するときに、タイトル名が更新される。
【００３８】
また、例えば、タイトル名等の楽曲情報が、タイトル名の上位階層にアルバム名があり、アルバム名の上位階層にアーティスト名があり、アーティスト名の上位階層にジャンル名があるというように、階層構造で管理されている場合、タイトル名の上位階層であるアルバム名等が同じであるグループに分けることも考えられる。例えば、タイトル名が属するアーティスト名毎にタイトル名がソートされ、このアーティスト名もソートされているような順番のリスト形式でタイトル名を表示する際、タイトル名が属するアーティスト名が変化するときに、タイトル名が更新される。この場合は、第２の領域２０４にタイトル名を表示する代わりに、アーティスト名を表示してもよい。また、タイトル名等の楽曲情報が、タイトル名の上位階層であるアルバム名が同じであるグループに分ける場合も同様に、アルバム名が変化するときに、タイトル名が更新されて表示されればよく、第２の領域２０４にタイトル名を表示する代わりに、アルバム名を表示してもよい。
【００３９】
また、図３に示したフローチャートでは、第２の領域２０４に表示するタイトル名を更新する間隔である、タイトル名のスクロール個数Ｉ２の値は複数であるとして説明しているが、常に複数ということでなくてもよい。例えば、スクロール速度を検出して、スクロール速度が所定の値より小さいときは、第１の領域２０３と第２の領域２０４のどちらの領域でも、タイトル名を１個スクロールする毎に更新して表示し、スクロール速度が所定の値より大きいときは、第２の領域２０４に表示するタイトル名を更新する間隔Ｉ２の値を複数にしてもよい。こうすることによって、スクロール速度が高速のときは、第２の領域２０４に表示されたタイトル名を逐次確認することができ、また、スクロール速度が低速のときは、第１の領域２０３に加えて第２の領域２０４をも合わせた領域に表示されたより多くのタイトル名の中から、所望の楽曲のタイトル名を選択することができる。
【００４０】
また、図３に示したフローチャートでは、第１の領域２０３に表示するタイトル名を、表示される位置を１個毎移動させて更新するとして説明したが、第２の領域２０４に表示するタイトル名を更新する間隔である、タイトル名のスクロール個数Ｉ２より小さければ、１個毎でなくてもよい。例えば、スクロール速度を検出して、スクロール速度が所定の値より小さいときは、操作ボタン２０５が押されたことを検出する毎に、第１の領域２０３に表示するタイトル名を１個スクロールさせるように更新して表示し、また、スクロール速度が所定の値より大きいときは、操作ボタン２０５が押されたことを検出する毎に、第１の領域２０３に表示するタイトル名を複数個スクロールさせるように更新して表示してもよい。このとき、操作ボタン２０５が長押しされていることを検出することによって、スクロール速度を高速にするようにしてもよい。こうすることによって、スクロール速度をより高速にすることができる。
【００４１】
図４は、本発明の実施の形態１におけるコンテンツ再生装置１００の表示部１０４の表示画面２０１の更新を示す図である。表示画面２０１に表示された画面イメージ４００〜４９０は、プロセッサ１０１が、画面イメージ４００においてタイトル名をリスト形式で表示を開始してから、下ボタン２０８が押されたことを検出し、画面イメージ４３０において順方向のスクロールを開始し、以降、順方向のスクロールによって表示画面２０１を順次更新する際の画面イメージを示している。図４の例では、第２の領域２０４に表示するタイトル名を更新する間隔である、タイトル名のスクロール個数は、１０個の固定値としている。
【００４２】
画面イメージ４００において、表示画面２０１は、第１の領域２０３と、第２の領域２０４とを備えている。第２の領域２０４は、第１の領域２０３の上側、つまり順スクロール方向（図４では下方向）に対して後方に並べて配置されている。
【００４３】
第１の領域２０３と第２の領域２０４には、プロセッサ１０１が、タイトル名の一覧のうち最初の３個のタイトル名を、上から下へと順番に、１番目のタイトル名「タイトル＿０１」を第２の領域２０４の位置のタイトル名４０２として、２番目のタイトル名「タイトル＿０２」を第１の領域２０３の上側の位置のタイトル名４０３として、３番目のタイトル名「タイトル＿０３」を第１の領域２０３の下側の位置のタイトル名４０４として、表示している。第２の領域２０４の位置のタイトル名４０２には、第１の領域２０３の上側の位置のタイトル名４０３や下側の位置のタイトル名４０４と同じだけの文字数を表示することができる。
【００４４】
ポインタ４０１は、選択されているタイトル名を指し示すための指標であり、ここでは一番上の位置のタイトル名４０２を指し示している。選択されているタイトル名を指し示すための指標は、ハイライト表示等でもよい。また、バー４０５は、表示画面２０１に表示されているタイトル名が、タイトル名の一覧全体のうちどのあたりの順番であるかを全体の中の位置で示している。
【００４５】
プロセッサ１０１が、下ボタン２０８が押されたことを検出すると、画面イメージ４１０へと更新する。画面イメージ４１０において、画面イメージ４００におけるポインタ４０１は、下方向に移動して、真ん中の位置のタイトル名４１３を指し示すためのポインタ４１１として更新される。
【００４６】
プロセッサ１０１が、下ボタン２０８がさらに押されたことを検出すると、画面イメージ４２０へと更新する。画面イメージ４２０において、画面イメージ４１０におけるポインタ４１１は、さらに下方向に移動して、一番下の位置のタイトル名４２４を指し示すためのポインタ４２１として更新される。
【００４７】
プロセッサ１０１が、下ボタン２０８がさらに押されたことを検出すると、画面イメージ４３０へと更新する。画面イメージ４３０において、画面イメージ４２０における第１の領域２０３の下側の位置のタイトル名４２４「タイトル＿０３」は、上方向に移動して、第１の領域２０３の上側の位置のタイトル名４３３として表示される。また、画面イメージ４２０においては表示されていなかった４番目のタイトル名「タイトル＿０４」が、第１の領域２０３の下側の位置のタイトル名４３４として新たに表示される。このように、「タイトル＿０２」と「タイトル＿０３」の表示が、「タイトル＿０３」と「タイトル＿０４」の表示に更新され、順方向のスクロールが開始される。
【００４８】
また、画面イメージ４３０において、画面イメージ４２０における第２の領域２０４の位置のタイトル名４２２「タイトル＿０１」は、更新されないで、第２の領域２０４の位置のタイトル名４３２として表示されたままになる。但し、第２の領域２０４に表示されたタイトル名を、第１の領域２０３に表示されたタイトル名とは識別可能にするために、タイトル名４３２には所定の背景色の枠４３６を付加している。識別可能に表示することで、ユーザは、第１の領域２０３と第２の領域２０４とでタイトル名の更新方法が異なるスクロール表示をしていることを認識できる。識別可能にする方法は、例えば、文字の点滅や枠線の表示等のこれ以外の方法でもよい。
【００４９】
このように表示画面２０１を順次更新することで、スクロールが開始していない画面イメージ４２０以前から、スクロールが開始した画面イメージ４３０以降へと、シームレスに繋げることができる。また、スクロールが開始した以降では、第２の領域２０４には、所望の楽曲のタイトル名に対してスクロールがどの程度進んでいるかを逐次確認できるだけの、最小限の情報が表示されればよいので、少なくとも１個のタイトル名を表示できればよい。
【００５０】
プロセッサ１０１が、下ボタン２０８がさらに押されたことを検出すると、同様にして、画面イメージ４４０へと更新する。画面イメージ４４０において、画面イメージ４３０における第１の領域２０３の下側の位置のタイトル名４３４は、上方向に移動して、第１の領域２０３の上側の位置のタイトル名４４３として表示される。また、画面イメージ４３０においては表示されていなかった５番目のタイトル名が、第１の領域２０３の下側の位置のタイトル名４４４として新たに表示される。
【００５１】
以降は同様にして、画面イメージが順次更新され、画面イメージ４５０においては、第２の領域２０４の位置のタイトル名４５２としてタイトル名「タイトル＿０１」が、第１の領域２０３の上側の位置のタイトル名４５３としてタイトル名「タイトル＿１１」が、第１の領域２０３の下側の位置のタイトル名４５４としてタイトル名「タイトル＿１２」が表示される。
【００５２】
プロセッサ１０１が、下ボタン２０８がさらに押されたことを検出すると、画面イメージ４６０へと更新する。画面イメージ４６０において、画面イメージ４５０における第１の領域２０３の下側の位置のタイトル名４５４「タイトル＿１２」は、上方向に移動して、第１の領域２０３の上側の位置のタイトル名４６３として表示される。また、画面イメージ４５０においては表示されていなかった１３番目のタイトル名「タイトル＿１３」が、第１の領域２０３の下側の位置のタイトル名４６４として新たに表示される。
【００５３】
また、画面イメージ４６０において、画面イメージ４５０における第１の領域２０３の上側の位置のタイトル名４５３「タイトル＿１１」は、上方向に移動して、第２の領域２０４の位置のタイトル名４６２として表示される。このように、第２の領域２０４では、「タイトル名＿０１」の表示が「タイトル名＿１１」の表示に、タイトル名の表示が１０個間隔で更新される。
【００５４】
このように表示画面２０１を順次更新することで、第２の領域２０４に表示するタイトル名を更新する際に、画面イメージ４５０から画面イメージ４６０への更新のように、シームレスに繋げることができる。
【００５５】
プロセッサ１０１が、下ボタン２０８がさらに押されたことを検出すると、画面イメージ４７０へと更新する。画面イメージ４７０において、画面イメージ４６０における第１の領域２０３の下側の位置のタイトル名４６４は、上方向に移動して、第１の領域２０３の上側の位置のタイトル名４７３として表示される。また、画面イメージ４６０においては表示されていなかった１４番目のタイトル名が、第１の領域２０３の下側の位置のタイトル名４７４として新たに表示される。
【００５６】
以降は同様にして、画面イメージが順次更新され、画面イメージ４８０において第２の領域２０４に表示されていたタイトル名「タイトル＿１１」は、画面イメージ４９０において、タイトル名「タイトル＿２１」に更新される。
【００５７】
このように、プロセッサ１０１がタイトル名を表示部１０４にリスト形式で表示して、操作部１０３からの指示に応じてスクロールして順次表示する際に、第１の領域２０３に表示されるタイトル名は毎回更新されるが、第２の領域２０４に表示されるタイトル名は１０回に１回だけ更新される。スクロール速度が高速になると、第１の領域２０３に表示されるタイトル名を読取ることが困難になるが、第２の領域２０４に表示されるタイトル名は更新時間の間隔が長くなるので、確実に読み取ることができる。
【００５８】
図５は、本発明の実施の形態１におけるコンテンツ再生装置１００の表示部１０４の表示画面２０１の更新を示す図である。表示画面２０１に表示された画面イメージ５００〜５８０は、図４に示した画面イメージ４００〜４９０の続きの画面イメージであり、プロセッサ１０１が、下ボタン２０８が押されたことを検出し、画面イメージ５００において順方向のスクロールをし、その後、上ボタン２０７が押されたことを検出し、画面イメージ５１０において順方向のスクロールを停止して、画面イメージ５４０において逆方向のスクロールを開始し、以降、逆方向のスクロールによって表示画面２０１を順次更新する際の画面イメージを示している。
【００５９】
画面イメージ５００において、プロセッサ１０１が、上ボタン２０７が押されたことを検出すると、順方向のスクロールの指示が逆方向のスクロールの指示へと変わったと判断して、順方向のスクロールを停止し、画面イメージ５１０へと更新する。画面イメージ５１０において、画面イメージ５００におけるポインタ５０１は、上方向に移動して、真ん中の位置のタイトル名５１３を指し示すためのポインタ５１１として更新される。
【００６０】
プロセッサ１０１が、上ボタン２０７がさらに押されたことを検出すると、画面イメージ５２０へと更新する。画面イメージ５２０において、画面イメージ５１０における第１の領域２０３の上側の位置のタイトル名５１３「タイトル＿８３」は、下方向に移動して、第１の領域２０３の下側の位置のタイトル名５２４として表示される。また、画面イメージ５１０においては表示されていなかった８２番目のタイトル名「タイトル＿８２」が、第１の領域２０３の上側の位置のタイトル名５２３として新たに表示される。このように、「タイトル＿８３」と「タイトル＿８４」の表示が、「タイトル＿８２」と「タイトル＿８３」の表示に更新される。また、画面イメージ５１０における第２の領域２０４の位置のタイトル名５１２「タイトル＿８１」は、更新されないで、第２の領域２０４の位置のタイトル名５２２として表示されたままになる。
【００６１】
プロセッサ１０１が、上ボタン２０７がさらに押されたことを検出すると、画面イメージ５３０へと更新する。画面イメージ５３０において、表示画面２０１の第１の領域２０３と第２の領域２０４の配置される位置が、第１の領域５０３と第２の領域５０４とへと変わる。第２の領域５０４は、第１の領域５０３の下側、つまり逆スクロール方向（図５では上方向）に対して後方に並べて配置されている。画面イメージ５２０において、第２の領域２０４に表示されたタイトル名を、第１の領域２０３に表示されたタイトル名とは識別可能にするために付加されていた所定の背景色の枠５２６は、画面イメージ５３０においては消去する。
【００６２】
また、画面イメージ５３０において、画面イメージ５２０におけるポインタ５２１は、上方向に移動して、一番上の位置のタイトル名５３２を指し示すためのポインタ５３１として更新される。
【００６３】
プロセッサ１０１が、上ボタン２０７がさらに押されたことを検出すると、画面イメージ５４０へと更新する。画面イメージ５４０において、画面イメージ５３０における第１の領域５０３の上側の位置のタイトル名５３２「タイトル＿８１」は、下方向に移動して、第１の領域５０３の下側の位置のタイトル名５４３として表示される。また、画面イメージ５３０においては表示されていなかった８０番目のタイトル名「タイトル＿８０」が、第１の領域５０３の上側の位置のタイトル名５４２として新たに表示される。このように、「タイトル＿８１」と「タイトル＿８２」の表示が、「タイトル＿８０」と「タイトル＿８１」の表示に更新され、逆方向のスクロールが開始される。
【００６４】
また、画面イメージ５４０において、画面イメージ５３０における第２の領域５０４の位置のタイトル名５３４「タイトル＿８３」は、更新されないで、第２の領域５０４の位置のタイトル名５４４として表示されたままになる。但し、第２の領域５０４に表示されたタイトル名を、第１の領域５０３に表示されたタイトル名とは識別可能にするために、タイトル名５４４には所定の背景色の枠５４６を付加している。
【００６５】
プロセッサ１０１が、上ボタン２０７がさらに押されたことを検出すると、画面イメージ５５０へと更新する。画面イメージ５５０において、画面イメージ５４０における第１の領域５０３の上側の位置のタイトル名５４２は、下方向に移動して、第１の領域５０３の下側の位置のタイトル名５５３として表示される。また、画面イメージ５４０においては表示されていなかった７９番目のタイトル名が、第１の領域５０３の上側の位置のタイトル名５５２として新たに表示される。
【００６６】
以降は同様にして、画面イメージが順次更新され、画面イメージ５６０においては、第２の領域５０４の位置のタイトル名５６４としてタイトル名「タイトル＿８３」が、第１の領域５０３の上側の位置のタイトル名５６２としてタイトル名「タイトル＿７２」が、第１の領域５０３の下側の位置のタイトル名５６３としてタイトル名「タイトル＿７３」が表示される。
【００６７】
プロセッサ１０１が、上ボタン２０７がさらに押されたことを検出すると、画面イメージ５７０へと更新する。画面イメージ５７０において、画面イメージ５６０における第１の領域５０３の上側の位置のタイトル名５６２「タイトル＿７２」は、下方向に移動して、第１の領域５０３の下側の位置のタイトル名５７３として表示される。また、画面イメージ５６０においては表示されていなかった７１番目のタイトル名「タイトル＿７１」が、第１の領域５０３の上側の位置のタイトル名５７２として新たに表示される。
【００６８】
また、画面イメージ５７０において、画面イメージ５６０における第１の領域５０３の下側の位置のタイトル名５６３「タイトル＿７３」は、下方向に移動して、第２の領域５０４の位置のタイトル名５７４として表示される。このように、第２の領域５０４では、「タイトル名＿８３」の表示が「タイトル名＿７３」の表示に、タイトル名の表示が１０個間隔で更新される。
【００６９】
このように表示画面２０１を順次更新することで、第２の領域５０４に表示するタイトル名を更新する際に、画面イメージ５６０から画面イメージ５７０への更新のように、シームレスに繋げることができる。
【００７０】
プロセッサ１０１が、上ボタン２０７がさらに押されたことを検出すると、画面イメージ５８０へと更新する。画面イメージ５８０において、画面イメージ５７０における第１の領域５０３の上側の位置のタイトル名５７２は、下方向に移動して、第１の領域５０３の下側の位置のタイトル名５８３として表示される。また、画面イメージ５７０においては表示されていなかった７０番目のタイトル名が、第１の領域５０３の上側の位置のタイトル名５８２として新たに表示される。
【００７１】
以上、図４と図５とを用いて表示画面２０１の更新の例を説明したが、表示画面２０１の更新はこれに限定されるものではない。次に、図６を用いて、これとは別の例を説明する。図６は、本発明の実施の形態１におけるコンテンツ再生装置１００の表示部１０４の表示画面２０１の更新を示す図である。図４と図５とにおいては、タイトル名のスクロール方向に対して、第２の領域２０４、５０４を、第１の領域２０３、５０３よりも後方に配置していたが、図６においては、タイトル名のスクロール方向が順方向であるか逆方向であるかに係わらず、順スクロール方向（図６では下方向）に対して、第２の領域２０４を、第１の領域２０３よりも後方に固定的に配置する。
【００７２】
図６において、表示画面２０１に表示された画面イメージ６００〜６９０は、プロセッサ１０１が、下ボタン２０８が押されたことを検出し、画面イメージ６００において順方向のスクロールをし、以降、順方向のスクロールによって表示画面２０１を順次更新し、その後、上ボタン２０７が押されたことを検出し、画面イメージ６５０において順方向のスクロールを停止して、画面イメージ６７０において逆方向のスクロールを開始し、以降、逆方向のスクロールによって表示画面２０１を順次更新する際の画面イメージを示している。図６の例では、第２の領域２０４に表示するタイトル名を更新する間隔である、タイトル名のスクロール個数は、１０個の固定値としている。
【００７３】
画面イメージ６００において、第２の領域２０４に表示されたタイトル名を、第１の領域２０３に表示されたタイトル名とは識別可能にするために、タイトル名６０２には枠線６０６を付加している。なお、第２の領域２０４に表示されたタイトル名を、第１の領域２０３に表示されたタイトル名と識別可能にするために、枠線６０６でなくとも、背景色を変化させるなどして、タイトル名６０２が第２の領域２０４に表示されたタイトル名と識別可能でありさえすればよい。
【００７４】
プロセッサ１０１が、下ボタン２０８が押されたことを検出すると、画面イメージ６１０へと更新する。画面イメージ６１０において、画面イメージ６００における第１の領域２０３の下側の位置のタイトル名６０４「タイトル＿１４１」は、上方向に移動して、第１の領域２０３の上側の位置のタイトル名６１３として表示される。また、画面イメージ６００においては表示されていなかった１４２番目のタイトル名「タイトル＿１４２」が、第１の領域２０３の下側の位置のタイトル名６１４として新たに表示される。また、画面イメージ６１０において、画面イメージ６００における第２の領域２０４の位置のタイトル名６０２「タイトル＿１３１」は、更新されないで、第２の領域２０４の位置のタイトル名６１２として表示されたままになる。
【００７５】
プロセッサ１０１が、下ボタン２０８がさらに押されたことを検出すると、画面イメージ６２０へと更新する。画面イメージ６２０において、画面イメージ６１０における第１の領域２０３の下側の位置のタイトル名６１４は、上方向に移動して、第１の領域２０３の上側の位置のタイトル名６２３として表示される。また、画面イメージ６１０においては表示されていなかった１４３番目のタイトル名が、第１の領域２０３の下側の位置のタイトル名６２４として新たに表示される。
【００７６】
また、画面イメージ６２０において、画面イメージ６１０における第１の領域２０３の上側の位置のタイトル名６１３「タイトル＿１４１」は、上方向に移動して、第２の領域２０４の位置のタイトル名６２２として表示される。
【００７７】
プロセッサ１０１が、下ボタン２０８がさらに押されたことを検出すると、画面イメージ６３０へと更新する。画面イメージ６３０において、画面イメージ６２０における第１の領域２０３の下側の位置のタイトル名６２４は、上方向に移動して、第１の領域２０３の上側の位置のタイトル名６３３として表示される。また、画面イメージ６２０においては表示されていなかった１４４番目のタイトル名が、第１の領域２０３の下側の位置のタイトル名６３４として新たに表示される。
【００７８】
以降は同様にして、画面イメージが順次更新され、画面イメージ６４０においては、第２の領域２０４の位置のタイトル名６４２としてタイトル名「タイトル＿２８１」が、第１の領域２０３の上側の位置のタイトル名６４３としてタイトル名「タイトル＿２８２」が、第１の領域２０３の下側の位置のタイトル名６４４としてタイトル名「タイトル＿２８３」が表示される。
【００７９】
プロセッサ１０１が、下ボタン２０８がさらに押されたことを検出すると、画面イメージ６５０へと更新する。画面イメージ６５０において、画面イメージ６４０における第１の領域２０３の下側の位置のタイトル名６４４は、上方向に移動して、第１の領域２０３の上側の位置のタイトル名６５３として表示される。また、画面イメージ６４０においては表示されていなかった２８４番目のタイトル名「タイトル＿２８４」が、第１の領域２０３の下側の位置のタイトル名６５４として新たに表示される。
【００８０】
画面イメージ６５０において、プロセッサ１０１が、上ボタン２０７が押されたことを検出すると、順方向のスクロールの指示が逆方向のスクロールの指示へと変わったと判断して、順方向のスクロールを停止し、画面イメージ６６０へと更新する。画面イメージ６６０において、画面イメージ６５０におけるポインタ６５１は、上方向に移動して、真ん中の位置のタイトル名６６３を指し示すためのポインタ６６１として更新される。
【００８１】
プロセッサ１０１が、上ボタン２０７がさらに押されたことを検出すると、画面イメージ６７０へと更新する。画面イメージ６７０において、画面イメージ６６０における第１の領域２０３の上側の位置のタイトル名６６３「タイトル＿２８３」は、下方向に移動して、第１の領域２０３の下側の位置のタイトル名６７４として表示される。また、画面イメージ６６０においては表示されていなかった２８２番目のタイトル名「タイトル＿２８２」が、第１の領域２０３の上側の位置のタイトル名６７３として新たに表示される。このように、「タイトル＿２８３」と「タイトル＿２８４」の表示が、「タイトル＿２８２」と「タイトル＿２８３」の表示に更新され、逆方向のスクロールが開始される。また、画面イメージ６６０における第２の領域２０４の位置のタイトル名６６２「タイトル＿２８１」は、更新されないで、第２の領域２０４の位置のタイトル名６７２として表示されたままになる。
【００８２】
プロセッサ１０１が、上ボタン２０７がさらに押されたことを検出すると、画面イメージ６８０へと更新する。画面イメージ６８０において、画面イメージ６７０における第１の領域２０３の上側の位置のタイトル名６７３「タイトル＿２８２」は、下方向に移動して、第１の領域２０３の下側の位置のタイトル名６８４として表示される。また、画面イメージ６７０における第２の領域２０４の位置のタイトル名６７２「タイトル＿２８１」は、下方向に移動して、第１の領域２０３の上側の位置のタイトル名６８３として表示される。また、画面イメージ６７０においては表示されていなかった２７１番目のタイトル名「タイトル＿２７１」が、第２の領域２０４の位置のタイトル名６８２として新たに表示される。
【００８３】
プロセッサ１０１が、上ボタン２０７がさらに押されたことを検出すると、画面イメージ６９０へと更新する。画面イメージ６９０において、画面イメージ６８０における第１の領域２０３の上側の位置のタイトル名６８３は、下方向に移動して、第１の領域２０３の下側の位置のタイトル名６９４として表示される。また、画面イメージ６８０においては表示されていなかった２８０番目のタイトル名が、第１の領域２０３の上側の位置のタイトル名２９３として新たに表示される。
【００８４】
以上説明したように、コンテンツ情報のスクロールを度々停止させなくても、第２の領域に表示されたコンテンツ情報を読取ることが可能なので、所望のコンテンツのコンテンツ情報が表示されているかどうかを逐次確認しながら、スクロール速度を高速に保ったままでスクロールすることができる。また、第２の領域に表示されたコンテンツ情報は頭文字以降の文字も読取ることが可能なので、どこまでスクロールされたかをより詳細に判断でき、所望のコンテンツのコンテンツ情報に接近する直前まで、スクロール速度を高速に保ったままでスクロールすることができる。従って、コンテンツ情報のスクロールを途中で停止させなくても、また、コンテンツの数が多大であっても、所望のコンテンツのコンテンツ情報を選択するまでの時間を短くすることができる。
【００８５】
なお、本実施の形態では、コンテンツ情報をタイトル名として説明したが、コンテンツを選択するために表示部１０４に表示する項目であれば、これ以外でもよい。例えば、コンテンツが楽曲の場合には、ジャンル名や、アーティスト名や、アルバム名等であってもよい。また、例えば、コンテンツが個人情報の場合には、個人名等であってもよい。
【００８６】
また、本実施の形態では、携帯デジタルオーディオプレーヤの例で説明したが、これ以外であってもよい。特に、多数のコンテンツを扱い、コンテンツを選択するためのコンテンツ情報を比較的小型の表示画面に表示するようなコンテンツ再生装置であれば、より効果が大きくなる。例えば、車載オーディオ装置や、ミニコンや、携帯電話等であってもよい。
【産業上の利用可能性】
【００８７】
本発明にかかる、コンテンツ再生装置および、コンテンツ情報のスクロール表示方法は、コンテンツ情報のスクロールを途中で停止させなくても、また、コンテンツの数が多大であっても、所望のコンテンツのコンテンツ情報を選択するまでの時間を短くすることができるので、特に、携帯型のデジタルオーディオプレーヤ等のコンテンツ再生装置の用途に有用である。
【図面の簡単な説明】
【００８８】
【図１】本発明の実施の形態１におけるコンテンツ再生装置の構成を示すブロック図
【図２】本発明の実施の形態１におけるコンテンツ再生装置の前面パネルを示す平面図
【図３】本発明の実施の形態１におけるコンテンツ情報のスクロール表示方法を示すフローチャート
【図４】本発明の実施の形態１におけるコンテンツ再生装置の表示部の表示画面の更新を示す図
【図５】本発明の実施の形態１におけるコンテンツ再生装置の表示部の表示画面の更新を示す図
【図６】本発明の実施の形態１におけるコンテンツ再生装置の表示部の表示画面の更新を示す図
【符号の説明】
【００８９】
１０１    プロセッサ
１０２    記録媒体
１０３    操作部
１０４    表示部
１０５    スピーカー
１０６    外部Ｉ／Ｆ
２０１    表示画面
２０３    第１の領域
２０４    第２の領域
【図１】
2007140004.tif 000003
【図３】
2007140004.tif 000004
【図６】
2007140004.tif 000005
【図２】
2007140004.tif 000006
【図４】
2007140004.tif 000007
【図５】
2007140004.tif 000008